(57)【要約】【課題】第１形態から第２形態に変化させるときと第２形態から第１形態に変化させるときの両方において遊戯者に楽しさおよび面白さを供与できる組立玩具を提供する。【解決手段】組立式玩具は、第１形態ＦＲ１とこれと異なる第２形態ＦＲ２とをとり得る組立式玩具である。第１形態ＦＲ１は、主部品と、当該主部品に係合した前記副部品とにより外殻体を成した形態であり、第２形態は、主部品により形象を模した形態である。【選択図】図１
2020065732.tif 000002
【特許請求の範囲】
【請求項１】
第１形態と当該第１形態とは異なる第２形態とをとり得る組立式玩具であって、
主部品と副部品とから構成され、
前記第１形態は、前記主部品と、当該主部品に係合した前記副部品とにより外殻体を成した形態であり、
前記第２形態は、前記主部品により形象を模した形態である、
組立式玩具。
【請求項２】
前記副部品は、外表面の少なくとも一部が曲面に形成される、
請求項１に記載の組立式玩具。
【請求項３】
前記第２形態は、前記主部品とさらに前記副部品とにより形象を模した形態である、
請求項１または２に記載の組立式玩具。
【請求項４】
前記主部品は、少なくともその一部が第１状態と第１状態とは異なる第２状態とをとり得る可動部として構成され、
前記副部品は、前記可動部が前記第１状態にある場合、前記主部品と係合可能である、
請求項１〜３のいずれか１項に記載の組立式玩具。
【請求項５】
前記副部品は、前記可動部が前記第２状態にある場合、前記主部品と係合不可能である、請求項４に記載の組立式玩具。
【請求項６】
前記可動部は、前記第１形態において、前記第１状態をとり得り、前記第２形態において、前記第１状態と前記第２状態とをとり得る、
請求項４または５に記載の組立式玩具。
【請求項７】
前記可動部は、前記第１状態の位置と前記第２状態の位置との間を移動可能である、
請求項４〜６のいずれか１項に記載の組立式玩具。
【請求項８】
前記第２状態の位置は、前記第１状態の位置よりも外方に突出した位置である、
請求項７に記載の組立式玩具。
【請求項９】
前記可動部は、外表面の少なくとも一部が曲面に形成される、
請求項４〜８のいずれか１項に記載の組立式玩具。
【請求項１０】
前記可動部は、第１可動部と、第２可動部とを含み、
前記第１可動部は、前記主部品における一方部に構成され、前記第２可動部は、前記主部品における他方部に構成される、
請求項４〜９のいずれか１項に記載の組立式玩具。
【請求項１１】
前記主部品の外表面の少なくとも一部と当該主部品に係合した前記副部品の外表面の少なくとも一部とは、前記第１形態において、連続した曲面を成す、
請求項１〜１０のいずれか１項に記載の組立式玩具。
【請求項１２】
前記第１形態は、転動可能な形態であり、前記第２形態は、転動を妨げる形態である、
請求項１〜１１のいずれか１項に記載の組立式玩具。
【請求項１３】
前記主部品には、凹部が形成され、前記第１形態において、当該凹部に前記副部品を配置することにより前記主部品と前記副部品とが係合し、前記外殻体を成す、
請求項１〜１２のいずれか１項に記載の組立式玩具。
【請求項１４】
前記副部品は、少なくとも第１副部品と第２副部品とを含み、
前記主部品には、前記凹部として少なくとも第１凹部と第２凹部とが形成され、
前記第１形態において、前記第１副部品は、前記第１凹部に配置され、前記第２副部品は、前記第２凹部に配置される、
請求項１３に記載の組立式玩具。
【請求項１５】
前記第１凹部に配置された前記第１副部品と、前記第２凹部に配置された前記第２副部品とは、相互に連結可能である、
請求項１４に記載の組立式玩具。
【請求項１６】
前記主部品の外表面の少なくとも一部は、平面部として形成され、
前記第１副部品、及び前記第２副部品の少なくとも何れか一方は、前記第１形態において、前記平面部の少なくとも一部を覆うよう前記主部品に係合される、
請求項１〜１５のいずれか１項に記載の組立式玩具。
【請求項１７】
前記主部品には、開口部が形成され、
前記副部品は、さらに前記開口部を被覆可能な第３副部品を含み、
前記第３副部品は、前記第１形態において、前記開口部を覆うよう前記主部品に係合される、
請求項１４または１５に記載の組立式玩具。
【請求項１８】
前記副部品は、さらに前記主部品を支持する第４副部品を含み、
前記第４副部品は、前記第１形態、及び前記第２形態において、前記開口部が形成された収容部に収容される、
請求項１７に記載の組立式玩具。
【請求項１９】
前記第３副部品は、前記第１形態において、正状態にて前記主部品と係合可能であり、前記第２形態において、前記3から反転させた状態である反転状態にて前記第４副部品を介して前記主部品と連結可能である、
請求項１８に記載の組立式玩具。
【請求項２０】
前記組立式玩具は、さらに前記主部品に連結可能な装飾部品を備え、
前記装飾部品は、前記第１形態において、前記主部品の内部空間に収容され、前記第２形態において、前記主部品に連結される、
請求項１〜１９のいずれか１項に記載の組立式玩具。
【発明の詳細な説明】
【技術分野】
【０００１】
本発明は、第１形態と前記第１形態とは異なる第２形態とをとり得る組立式玩具に関する。
【背景技術】
【０００２】
後記特許文献１には、２個の半球状部材から成るカプセルの内部に複数の部品が収納された球状形態（第１形態）と、部品取り出し後のカプセルと複数の部品とを用いて構成された人形形態（第２形態）とに、可逆的に変化可能なカプセル玩具が開示されている。
【０００３】
前記のカプセル玩具は、カプセル内に複数の部品を収納したものが第１形態であるため、第１形態（球状形態）から第２形態（人形形態）に変化させるときと比べて、第２形態（人形形態）から第１形態（球状形態）に変化させるときに遊戯者に楽しさおよび面白さを供与することは難しい。
【先行技術文献】
【特許文献】
【０００４】
【特許文献１】特開平０７−１４８３５８号公報
【発明の概要】
【発明が解決しようとする課題】
【０００５】
本発明が解決しようとする課題は、第１形態から第２形態に変化させるときと第２形態から第１形態に変化させるときの両方において遊戯者に楽しさおよび面白さを供与できる組立式玩具を提供することにある。
【課題を解決するための手段】
【０００６】
本発明に係る組立式玩具は、第１形態と当該第１形態とは異なる第２形態とをとり得り、主部品と副部品とから構成され、前記第１形態は、前記主部品と、当該主部品に係合した前記副部品とにより外殻体を成した形態であり、前記第２形態は、前記主部品により形象を模した形態である。
【発明の効果】
【０００７】
本発明に係る組立式玩具によれば、第１形態から第２形態に変化させるときと第２形態から第１形態に変化させるときの両方において遊戯者に楽しさおよび面白さを供与することができる。
【図面の簡単な説明】
【０００８】
【図１】図１は本発明の第１実施形態に係る組立式玩具の第１形態を示すものであり、図１（Ａ）は第１形態の前面図、図１（Ｂ）は同後面図、図１（Ｃ）は同上面図、図１（Ｄ）は同下面図、図１（Ｅ）は同側面図である。
【図２】図２（Ａ）は図１に示した第３副部品の上面図、図２（Ｂ）は同下面図、図２（Ｃ）は図２（Ａ）のＳ１−Ｓ１線断面図である。
【図３】図３（Ａ）は図１に示した第４副部品の上面図、図３（Ｂ）は図３（Ａ）のＳ２−Ｓ２線断面図である。
【図４】図４（Ａ）は図１に示した第２副部品の上面図、図４（Ｂ）は同下面図である。
【図５】図５は図１に示した第１副部品の下面図である。
【図６】図６は図１に示した第１形態の副部品のみを示すものであり、図６（Ａ）は副部品の前面図、図６（Ｂ）は同後面図、図６（Ｃ）は同上面図、図６（Ｄ）は同側面図である。
【図７】図７は本発明の第１実施形態に係る組立式玩具の主部品を示すものであり、図７（Ａ）は主部品の前面図、図７（Ｂ）は同後面図、図７（Ｃ）は同上面図、図７（Ｄ）は主部品の下面図、図７（Ｅ）は主部品の側面図である。
【図８】図８は図７に示した主部品の可動部の第２状態（引き出した状態）を示すものであり、図８（Ａ）主部品の前面図、図８（Ｂ）は同後面図、図８（Ｃ）は同側面図である。
【図９】図９は本発明の第１実施形態に係る組立式玩具の支持部品を示すものであり、図９（Ａ）は支持部品の上面図、図９（Ｂ）は同下面図、図９（Ｃ）は図９（Ａ）のＳ３−Ｓ３線断面図である。
【図１０】図１０は本発明の第１実施形態に係る組立式玩具の装飾部品を示すものであり、図１０（Ａ）は第１装飾部品と第２装飾部品の上面図、図１０（Ｂ）は第１装飾部品に第２装飾部品を連結した状態を示す上面図である。
【図１１】図１１（Ａ）〜図１１（Ｃ）は本発明の第１実施形態に係る組立式玩具を第１形態から第２形態に変化させるときの手順例の説明図である。
【図１２】図１２（Ａ）〜図１２（Ｃ）は本発明の第１実施形態に係る組立式玩具を第２形態から第１形態に変化させるときの手順例の説明図である。
【図１３】図１３は本発明の第２実施形態に係る組立式玩具の第１形態を示すものであり、図１３（Ａ）は第１形態の前面図、図１３（Ｂ）は同後面図、図１３（Ｃ）は同上面図、図１３（Ｄ）は同側面図である。
【図１４】図１４（Ａ）図１３に示した第３副部品の上面図、図１４（Ｂ）は同下面図、図１４（Ｃ）は図１４（Ａ）のＳ４−Ｓ４線断面図である。
【図１５】図１５（Ａ）は図１３に示した第２副部品の上面図、図１５（Ｂ）は同下面図である。
【図１６】図１６は図１３に示した第１副部品の下面図である。
【図１７】図１７は図１３に示した第１形態の副部品のみを示すものであり、図１７（Ａ）は副部品の前面図、図１７（Ｂ）は同後面図、図１７（Ｃ）は同上面図、図１７（Ｄ）は同側面図である。
【図１８】図１８（Ａ）〜図１８（Ｃ）は本発明の第２実施形態に係る組立式玩具を第１形態から第２形態に変化させるときの手順例の説明図である。
【図１９】図１９（Ａ）〜図１９（Ｃ）は本発明の第２実施形態に係る組立式玩具を第２形態から第１形態に変化させるときの手順例の説明図である。
【発明を実施するための形態】
【０００９】
《第１実施形態：図１〜図１２》
図１〜図１２は本発明の第１実施形態に係る組立式玩具に関するものであり、図１は第１形態ＦＲ１を示し、図１１（Ｃ）は第２形態ＦＲ２を示す。なお、以下の説明では、便宜上、図１（Ａ）の手前側を前、奥側を後、左側を右、右側を左、上側を上、下側を下と表記し、他の図についてもこれらに準じて向きを表記する。また、以下の説明中の「・・・状」は、基準形「・・・」と当該基準形が多少歪になっている類似の形とを含む用語として使用している。
【００１０】
まず、第１実施形態に係る組立玩具の第１形態ＦＲ１について説明する。
【００１１】
図１に示した第１形態ＦＲ１は、第１形態ＦＲ１の主体を成す主部品２０（図７を参照）が副部品１１,１２,１３と係合し外殻体１０を構成している形態である。第１形態ＦＲ１において、主部品２０には、第１凹部ＯＡ１が形成され、当該第１凹部ＯＡ１に第１副部品１１を配置することにより、第１凹部ＯＡ１と第１副部品１１とが係合すること、主部品２０には、また第２凹部ＯＡ２が形成され、当該第２凹部ＯＡ２に第２副部品１２を配置することにより、第２凹部ＯＡ２と第２副部品１２とが係合すること、主部品２０には、さらに第３凹部ＯＡ３が形成され、当該第３凹部ＯＡ３に第３副部品１３を配置することにより、第３凹部ＯＡ３と第３副部品１３とが係合すること、主部品２０の少なくとも一部の外表面と副部品１１,１２,１３の少なくとも一部の外表面とが連続した曲面を形成すること、後述する可動部２２の外表面の少なくとも一部が曲面に形成されることにより、外殻体１０は、転動可能な形態（略球状の形態）を構成している。なお、第１凹部ＯＡ１と第１副部品１１とが係合することにより、第１凹部ＯＡ１は、第１副部品１１により覆われることになり、また、第２凹部ＯＡ２と第２副部品１２とが係合することにより、第２凹部ＯＡ２は、第２副部品１２により覆われることになり、さらに、第３凹部ＯＡ３と第３副部品１３とが係合することにより、第３凹部ＯＡ３は、第３副部品１３により覆われることになる。
【００１２】
また、主部品２０は、その一部が可動部２２（第１可動部,第２可動部）として構成され、可動部２２は、主部品２０内に引っ込めた第１状態と、主部品２０内から引き出した第２状態とをとり得り、第１状態と第２状態との間を移動可能に構成されている。上述した第１形態ＦＲ１においては、可動部２２が第１状態をとることにより、主部品２０と第１副部品１１とが係合され、転動可能な形態を構成している。なお、第１形態ＦＲ１において、可動部２２を第２状態とした場合においては、第１凹部ＯＡ１に第１副部品１１を配置したとしても、可動部２２と第１副部品１１とにより転動を妨げるような段差が生じることになるので、転動可能な形態とは言えない。  
【００１３】
次に、第１実施形態に係る組立玩具の部品構成について説明する。
【００１４】
外殻体１０は、図１〜図４に示したように、上面視および下面視がω（オメガ）状の第１副部品１１と、上面視および下面視が円弧状の第２副部品１２と、上面視および下面視が円状の第３副部品１３と、上面視および下面視が円状の第４副部品１４とから構成されている。  
【００１５】
図１および図５に示したように、第１副部品１１には、部分的な切り欠き（符号省略）によって、上面視および下面視が円弧状を成す第１被覆部１１ａと上面視および下面視が矩形状の第２被覆部１１ｂとを一体に有している。第１副部品１１（第１被覆部１１ａ）の下面後部には下面視が矩形状の凸部１１ｃが設けられ、下面左右部には下面視が矩形状の凸部１１ｄがそれぞれ設けられている。また、第１被覆部１１ａの下面内側には下面視が円状の窪み部１１ｅが設けられている。ちなみに、第１被覆部１１ａは、図１に示した第１形態ＦＲ１において主部品２０の各可動部２２の上面（各可動部２２は第１状態、図７を参照）と接する部位である。また、窪み部１１ｅは、図１に示した第１形態ＦＲ１において主部品２０の上部の一部（図７を参照）を被覆可能な形と深さを有している。さらに、第２被覆部１１ｂは、図１に示した第１形態ＦＲ１において主部品２０の溝部２１ｂの前端部を除く部分（図７を参照）に挿入可能で同部分を被覆可能な形と厚さを有している。さらに、凸部１１ｃは、図１（Ｂ）に示した第１形態ＦＲ１において主部品２０の各可動部２２の凹部２２ｂ（各可動部２２は第１状態、図７を参照）に着脱可能に連結される部位である。さらに、各凸部１１ｄは、図１に示した第１形態ＦＲ１において第２副部品１２の上面左右部の各凹部１２ｂに着脱可能に連結される部位である。
【００１６】
図１および図４に示したように、第２副部品１２には、その後面それぞれには凹凸群から成る位置決め部１２ａが設けられている。また、第２副部品１２の上面左右部には上面視が矩形状の凹部１２ｂがそれぞれ設けられ、下面前部には下面視が円弧状の凸部１２ｃが設けられている。ちなみに、各位置決め部１２ａは、図１（Ｅ）に示した第１形態ＦＲ１おいて主部品２０の各可動部２２の位置決め部２２ａ（各可動部２２は第１状態、図７を参照）との係合によって相互の位置決めを行う部位である。また、凸部１２ｃは、図１に示した第１形態ＦＲ１において第３副部品１３の上面前部の凹部１３ａに着脱可能に連結される部位である。
【００１７】
図１および図３に示したように、第４副部品１４の上面には上面視が円状の凸部１４ａが設けられ、凸部１４ａには上面視が６角状の凹部１４ｂが設けられている。ちなみに、第４副部品１４の凸部１４ａは、図１に示した第１形態ＦＲ１において第３副部品１３の下面の凹部１３ｄに着脱可能に連結される部位である。また、第４副部品１４の凹部１４ｂは、図１に示した第１形態ＦＲ１において第３副部品１３の上面内側の凸部１３ｅに着脱可能に連結される部位である。
【００１８】
第４副部品１４について補足すると、凸部１４ａが第３副部品１３の下面の凹部１３ｄに連結可能であれば、凹部１４ｂは第３副部品１３の下面の凸部１３ｅよりも大きくてもよく、逆に、凹部１４ｂが第３副部品１３の下面の凸部１３ｅに連結可能であれば、凸部１４ａは第３副部品１３の下面の凹部１３ｄよりも小さくてもよい。また、第４副部品１４は、図１に示した第１形態ＦＲ１において第３副部品１３の下面の凹部１３ｄおよび凸部１３eを覆う丸み付け兼用の蓋部品であるため、第４副部品１４が無くても外殻体１０が転動可能であれば当該第４副部品１４は排除することも可能である。
【００１９】
図６は図１に示した第１形態ＦＲ１の外殻体１０を構成する副部品のみを示すものである。
【００２０】
一方、主部品２０は、図７に示したように、上面視および下面視が円弧状の２個（左右１対）の可動部２２と、各可動部２２の内側に設けられた上面視および下面視が円弧状の案内部２３と、上面視が矩形状の他の可動部２４とを備えている。図７に示した主部品２０はキャラクターの頭部を摸した外観を有している。
【００２１】
主部品２０における本体部２１の前面上部には直方体状の凸部２１ａが設けられ、上部中央には上面視が矩形状の溝部２１ｂが設けられている。また、本体部２１の下面には下面視が６角状の収容部２１ｃが設けられ、収容部２１ｃの上側には下面視が矩形状の挿入規制部２１ｄが設けられている。さらに、本体部２１の前面には切り欠き（符号省略）があり、切り欠きの内側には顔を摸した顔面部２１ｅが設けられている。主部品２０には、本体部２１の前上部下端と顔面部２０ｅとで側面視が凹状の第２凹部ＯＡ２が形成されている。さらに、本体部２１の下面には、収容部２１ｃの前端部および顔面部２１ｅの内側下端とにより開口が形成されている。本体部２１の内部には、この開口を出入口とした内部空間２１ｆが形成されている。内部空間２１ｆ内部空間２１ｆちなみに、凸部２１ａは、図１１（Ｃ）に示した第２形態ＦＲ２において第１装飾部品４１（図１０を参照）が着脱可能に連結される部位である。また、溝部２１ｂは、図１に示した第１形態ＦＲ１において第１副部品１１の第２被覆部１１ｂが挿入される部位である。さらに、収容部２１ｃは、図１に示した第１形態ＦＲ１と図１１（Ｃ）に示した第２形態ＦＲ２において支持部品３１（図９を参照）が着脱可能に連結される部位である。さらに、挿入規制部２１ｄは、図１に示した第１形態ＦＲ１と図１１（Ｃ）に示した第２形態ＦＲ２において収容部２１ｃに対する支持部品３１の挿入量を制限する部位である。さらに、内部空間２１ｆは、図１に示した第１形態ＦＲ１において第１装飾部品４１と第２装飾部品４２（図１０を参照）を収容可能な空間である。
【００２２】
各可動部２２は、図８に示したように、案内部２３による案内を受けつつ、引っ込めた状態（第１状態）と引き出した状態（第２状態）との間を移動可能とした部材である。各可動部２２の前面には凹凸群から成る位置決め部２２ａが設けられ、各可動部２２の後面上部には後面視が矩形状の凹部２２ｂが形成されている。各可動部２２の引き出し行為と引っ込める行為は摩擦抵抗に抗して行うことが可能であり、図示を省略したが、各可動部２２の引き出し量は各可動部２２の内側に設けられた引き出し規制部が案内部２３または本体部２１に係合することによって制限されるように構成されている。ちなみに、各位置決め部２２ａは、図１（Ｅ）に示した第１形態ＦＲ１において第２副部品１２の後面それぞれの位置決め部１２ａとの係合によって相互の位置決めを行う部位である。
【００２３】
他の可動部２４は、図８に示したように、本体部２１の溝部２１ｂの案内を受けつつ、上下方向へ引き出した状態と引っ込めた状態とをとり得るような移動を可能としている。他の可動部２４の上面の少なくとも一部（前部）は平面に形成され、他の可動部２４の上面後部には、図７に示した引っ込めた状態で他の可動部２４を溝部２１ｂ内に収めるための傾斜部（符号省略）が形成されている。他の可動部２４の引き出し行為と引っ込める行為は摩擦抵抗に抗して行うことが可能であり、図示を省略したが、他の可動部２４の引き出し量は他の可動部２４の内側に設けられた引き出し規制部が本体部２１に係合することによって制限されるように構成されている。
【００２４】
前掲の支持部品３１は、図９に示したように、上面視および下面視が６角状で、下面に６角状の凹部３１ａが形成されている。ちなみに、支持部品３１の凹部３１ａは、図１に示した第１形態ＦＲ１と図１１（Ｃ）に示した第２形態ＦＲ２において第３副部品１３の各凸部１３ｃおよび１３ｅに着脱可能に連結可能である。また、支持部品３１は、図１１（Ｃ）に示した第２形態ＦＲ２において主部品２０の本体部２１の収容部２１ｃに着脱可能に連結可能である。
【００２５】
前掲の第１装飾部品４１は、図１０に示したように、５角柱状を成し、下面には矩形状の凹部４１ａが形成され、２つの側面には矩形状の凹部４１ｂがそれぞれ形成されている。前掲の第２装飾部品４２は、図１０に示したように、その個数は２個であり、先鋭な棒状を成し、端面には直方体状の凸部４２ａが設けられている。ちなみに、第１装飾部品４１の凹部４１ａは、図１１（Ｃ）に示した第２形態ＦＲ２において主部品２０の本体部２１の前面上部の凸部２１ａに着脱可能に連結される部位である。また、第１装飾部品４１の各凹部４１ｂは、図１１（Ｃ）に示した第２形態ＦＲ２において各第２装飾部品４２の凸部４２ａが着脱可能に連結される部位である。
【００２６】
次に、図１示した第１形態ＦＲ１から図１１（Ｃ）に示した第２形態ＦＲ２に変化させるときの手順例について説明する。なお、ここで説明する手順は一例であって、変化の手順を制限するものではない。
【００２７】
購入直後において、組立式玩具が主部品及び副部品の分離を防止する目的でプラスチックフィルムで覆われている場合には、最初に、プラスチックフィルムを取り除く。そして、図１に示した第１形態ＦＲ１を構成している部品全て、すなわち、第１副部品１１と第２副部品１２と第３副部品１３と第４副部品１４と主部品２０と支持部品３１とを分解し、第１装飾部品４１と第２装飾部品４２を主部品２０の本体部２１の内部空間２１ｆから取り出す。
【００２８】
そして、図１１（Ａ）に示したように、第３副部品１３を上下反転させてから卓上等の平坦面ＦＳに置き、第３副部品１３の下面（図中は上面）の凸部１３ｅに支持部品３１の凹部３１ａを挿入して連結する。そして、図１１（Ｂ）および図１１（Ｃ）に示したように、主部品２０の本体部２１の下面の収容部２１ｃを支持部品３１に挿入して連結し、連結後の主部品２０の各可動部２２を左右方向に引き出し、他の可動部２４を上方に引き出すとともに、２個の第２装飾部品４２を連結した後の第１装飾部品４１の凹部４１ａを主部品２０の本体部２１の前面上部の凸部２１ａに挿入して連結する。
【００２９】
以上で、キャラクターの少なくとも一部を摸した（形象の少なくとも一部を模した）第２形態ＦＲ２が完成する。なお、第２形態ＦＲ２では主部品２０のみによってキャラクターの少なくとも一部を摸す（形象の少なくとも一部を模す）ことも可能である。ちなみに、この第２形態ＦＲ２では主部品２０の各可動部２２が左右方向に引き出されているため、各可動部２２の内側部分、すなわち、案内部２３が露出して容易に視認できるようになる。なお、この第２形態ＦＲ２では主部品２０の各可動部２２が引っ込んでいる第１状態（本体部２１内に収容されている状態）をもとり得る。また、この第２形態ＦＲ２は転動を妨げる形態とも言える。
【００３０】
次に、図１１（Ｃ）に示した第２形態ＦＲ２から図１示した第１形態ＦＲ１に変化させるときの手順例について説明する。なお、ここで説明する手順は一例であって、変化の手順を制限するものではない。
【００３１】
まず、第２形態ＦＲ２を構成している部品全て、すなわち、第３副部品１３と主部品２０と支持部品３１と第１装飾部品４１と第２装飾部品４２とを分解する。また、分解の前後において主部品２０の各可動部２２と他の可動部２４を第２状態から第１状態に戻す。
【００３２】
そして、図１２（Ａ）に示したように、第３副部品１３の上面の凸部１３ｃに支持部品３１の凹部３１ａを挿入して連結するとともに、第３副部品１３の下面の凸部１３ｅに第４副部品１４の上面の凹部１４ｂを挿入して連結する。そして、主部品２０の本体部２１の内部空間２１ｆに第１装飾部品４１と第２装飾部品４２を収容してから、図１２（Ｂ）および図１２（Ｃ）に示したように、第３副部品１３に連結されている支持部品３１に主部品２０の本体部２１の収容部２１ｃを挿入して連結するとともに、主部品２０の本体部２１の下端部を第３副部品１３の窪み部１３ｂに挿入し、第１状態の各可動部２２の下面を第３副部品１３の上面に当接させる。
【００３３】
そして、第２副部品１２の後面それぞれの位置決め部１２ａを主部品２０の各可動部２２の前面の位置決め部２２ａに係合して相互の位置決めを行うとともに、第２副部品１２の下面前部の凸部１２ｃを第３副部品１３の上面前部の凹部１３ａに挿入して連結し、主部品２０の本体部２１の前面の一部（主として第２凹部ＯＡ２を含む顔面部２１ｅおよびその左右部分）と各可動部２２の前面を第２副部品１２で覆う。
【００３４】
そして、第１副部品１１の第２被覆部１１ｂを主部品２０の本体部２１の溝部２１ｂに位置合わせしてから当該溝部２１ｂに挿入し、第１副部品１１の下面左右部の凸部１１ｄを第２副部品１２の上面左右部の凹部１２ｂにそれぞれ挿入して連結するとともに、第１副部品１１の下面後部の凸部１１ｃを主部品２０の各可動部２２の後面上部の凹部２２ｂに挿入して連結し、主部品２０の本体部２１の上部（主として顔面部２１ｅを含む第１凹部ＯＡ１および各可動部２２よりも上部分）を第１副部品１１で覆う。
【００３５】
以上で、主部品２０の本体部２１の上部に形成された第１凹部ＯＡ１および主部品２０の本体部２１の前面部に形成された第２凹部ＯＡ２が被覆（補填）された第１形態ＦＲ１が完成する。
【００３６】
このように、前述の第１実施形態に係る組立式玩具によれば、第１形態ＦＲ１から第２形態ＦＲ２に変化させるときと第２形態ＦＲ２から第１形態ＦＲ１に変化させるときの両方において遊戯者に楽しさおよび面白さを供与することができる。ちなみに、第２形態ＦＲ２から第１形態ＦＲ１に変化させるときの楽しさおよび面白さは、第１に、第２形態ＦＲ２から第１形態ＦＲ１に変化させるときに主部品２０の本体部２１に形成された少なくとも第１凹部ＯＡ１や第２凹部ＯＡ２が副部品によって被覆（補填）されることで転動可能な球状の形態となる様子を視認できることにあり、第２に、第２形態ＦＲ２から第１形態ＦＲ１に変化させるときに特有の組み立てを要することにある。  
【００３７】
《第２実施形態：図１３〜図１９》
図１３〜図１９は本発明の第２実施形態に係る組立式玩具に関するものであり、図１３は第１形態ＦＲ１を示し、図１８（Ｃ）は第２形態ＦＲ２を示す。なお、以下の説明では、便宜上、図１３（Ａ）の手前側を前、奥側を後、左側を右、右側を左、上側を上、下側を下と表記し、他の図についてもこれらに準じて向きを表記する。また、以下の説明中の「・・・状」は、基準形「・・・」と当該基準形が多少歪になっている類似の形とを含む用語として使用している。
【００３８】
まず、第２実施形態に係る組立式玩具の第１形態ＦＲ１について説明する。
【００３９】
図１３に示した第１形態ＦＲ１が、第１実施形態に係る組立式玩具の第１形態ＦＲ１（図１を参照）と大きく異なるところは、
・主部品２０を構成する各可動部２２が引き出された第２状態において、主部品２０と副部品とが係合し、第１形態をとり得る点にある。これにより、第１実施形態に係る第１形態ＦＲ１の組立式玩具よりも大きな組立式玩具を提供することが可能となる。
・主部品２０の上部に配置される副部品１１’が主部品２０の上部全面を覆う点にある。上部全面が完全に覆われているので、これにより、第１形態ＦＲ１から第２形態ＦＲ２に変化させるときの楽しさおよび面白さを提供することが可能となる。
【００４０】
主部品２０に副部品を配置、係合することにより主部品に段差部分（凹部分）がなくなり、また、主部品２０および副部品の外表面の少なくとも一部を連続した曲面として形成すること、および主部品２０の各可動部２２の外表面を曲面として形成することにより、転動可能な球状の形態をとることが可能となる。この点については、第１実施形態に係る組立式玩具の第１形態ＦＲ１（図１を参照）と同じである。
【００４１】
次に、第２実施形態に係る組立式玩具の部品構成について説明する。
【００４２】
第２実施形態に係る組立式玩具の部品構成が、第１実施形態に係る組立式玩具の部品構成と異なるところは、前記の第１形態ＦＲ１の相違点を満足するために、
・第１副部品１１’に部分的な切り欠きは無く、第１副部品１１’の前後寸法および左右寸法と窪み部１１e’の前後寸法および左右寸法が大きくなっている点と、主部品２０の各可動部２２が引き出された状態にあるため、第１副部品１１’の下面後部の凸部１１ｃ’の左右寸法が大きくなっている点（図１３および図１６を参照）
・第２副部品１２’の内外の左右寸法が大きくなっている点（図１３と図１５を参照）
・第１副部品１１’および第２副部品１２’の寸法拡大に伴って第３副部品１３’の前後寸法および左右寸法と窪み部１３ｂ’の前後寸法および左右寸法が大きくなっている点（図１３および図１４を参照）にある。
【００４３】
第４副部品１４が無くても外殻体１０’が転動可能であれば当該第４副部品１４は排除することは、第１実施形態に係る組立式玩具と同じである。また、主部品２０と支持部品３１と第１装飾部品４１と第２装飾部品４２の構成は、第１実施形態に係る組立式玩具で使用されているものと同じである。
【００４４】
図１７は図１３に示した第１形態ＦＲ１の外殻体１０’を構成する副部品のみを示すものである。
【００４５】
次に、図１３示した第１形態ＦＲ１から図１８（Ｃ）に示した第２形態ＦＲ２に変化させるときの手順例について説明する。なお、ここで説明する手順は一例であって、変化の手順を制限するものではない。
【００４６】
組立式玩具は、購入直後において、分離の防止を目的としてプラスチックフィルムで覆われている場合には、最初に、プラスチックフィルムを取り除く。そして、図１３に示した第１形態ＦＲ１を構成している部品全て、すなわち、第１副部品１１’と第２副部品１２’と第３副部品１３’と第４副部品１４と主部品２０と支持部品３１とを分解し、第１装飾部品４１と第２装飾部品４２を主部品２０の本体部２１の内部空間２１ｆから取り出す。
【００４７】
そして、図１８（Ａ）に示したように、第３副部品１３’を上下反転させてから卓上等の平坦面ＦＳに置き、第３副部品１３’の下面（図中は上面）の凸部１３ｅに支持部品３１の凹部３１ａを挿入して連結する。そして、図１８（Ｂ）および図１８（Ｃ）に示したように、主部品２０の本体部２１の下面の収容部２１ｃを支持部品３１に挿入して連結し、連結後の主部品２０の各可動部２２を左右方向に引き出し、他の可動部２４を上方に引き出すとともに、２個の第２装飾部品４２を連結した後の第１装飾部品４１の凹部４１を主部品２０の本体部２１の前面上部の凸部２１ａに挿入して連結する。
【００４８】
以上で、キャラクターの少なくとも一部を摸した（形象の少なくとも一部を模した）第２形態ＦＲ２が完成する。なお、第２形態ＦＲ２では主部品２０のみによってキャラクターの少なくとも一部を摸す（形象の少なくとも一部を模す）ことも可能である。ちなみに、この第２形態ＦＲ２では主部品２０の各可動部２２が左右方向に引き出されているため、各可動部２２の内側部分、すなわち、案内部２３が露出して容易に視認できるようになる。なお、この第２形態ＦＲ２では主部品２０の各可動部２２が引っ込んでいる第１状態（本体部２１内に収容されている状態）をもとり得る。また、この第２形態ＦＲ２は転動を妨げる形態とも言える。  
【００４９】
次に、図１８（Ｃ）に示した第２形態ＦＲ２から図１３示した第１形態ＦＲ１に変化させるときの手順例について説明する。なお、ここで説明する手順は一例であって、変化の手順を制限するものではない。
【００５０】
まず、第２形態ＦＲ２を構成している部品全て、すなわち、第３副部品１３’と主部品２０と支持部品３１と第１装飾部品４１と第２装飾部品４２とを分解する。また、分解の前後において主部品２０の他の可動部２４を引き出した状態から引っ込めた状態に変化させる。ちなみに、主部品２０の各可動部２２は引き出した第２状態のままとし、引っ込めた第１状態には復元しない。  
【００５１】
そして、図１９（Ａ）に示したように、第３副部品１３’の上面の凸部１３ｃに支持部品３１の凹部３１ａを挿入して連結するとともに、第３副部品１３’の下面の凸部１３ｅに第４副部品１４の上面の凹部１４ｂを挿入して連結する。そして、主部品２０の本体部２１の内部空間２１ｆに第１装飾部品４１と第２装飾部品４２を収容してから、図１９（Ｂ）および図１９（Ｃ）に示したように、第３副部品１３’に連結されている支持部品３１に主部品２０の本体部２１の収容部２１ｃを挿入して連結するとともに、主部品２０の本体部２１の下端部を第３副部品１３’の窪み部１３ｂ’に挿入し、引き出した状態の各可動部２２の下面を第３副部品１３’の上面に当接させる。
【００５２】
そして、第２副部品１２’の後面それぞれの位置決め部１２ａを主部品２０の各可動部２２の前面の位置決め部２２ａに係合して相互の位置決めを行うとともに、第２副部品１２’の下面前部の凸部１２ｃを第３副部品１３’の上面前部の凹部１３ａに挿入して連結し、主部品２０の本体部２１の前面の一部（主として顔面部２１ｅおよびその左右部分）と各可動部２２の前面を第２副部品１２’で覆う。
【００５３】
そして、第１副部品１１’の下面左右部の凸部１１ｄを第２副部品１２’の上面左右部の凹部１２ｂにそれぞれ挿入して連結するとともに、第１副部品１１’の下面後部の凸部１１ｃ’を主部品２０の各可動部２２の後面上部の凹部２２ｂに挿入して連結し、主部品２０の本体部２１の上部（主として顔面部２１ｅおよび各可動部２２よりも上部分）を第１副部品１１’で覆う。
【００５４】
以上で、主部品２０の本体部２１の上部に形成された第１凹部ＯＡ１および主部品２０の本体部２１の前面部に形成された第２凹部ＯＡ２が被覆（補填）された第１形態ＦＲ１が完成する。
【００５５】
このように、前述の第２実施形態に係る組立式玩具によれば、第１形態ＦＲ１から第２形態ＦＲ２に変化させるときと第２形態ＦＲ２から第１形態ＦＲ１に変化させるときの両方において遊戯者に楽しさおよび面白さを供与することができる。ちなみに、第２形態ＦＲ２から第１形態ＦＲ１に変化させるときの楽しさおよび面白さは、第１に、第２形態ＦＲ２から第１形態ＦＲ１に変化させるときに主部品２０の本体部２１に形成された少なくとも第１凹部ＯＡ１や第２凹部ＯＡ２が副部品によって被覆（補填）されることで転動可能な球状の形態となる様子を視認できることにあり、第２に、第２形態ＦＲ２から第１形態ＦＲ１に変化させるときに特有の組み立てを要することにある。
【００５６】
第１実施形態および第２実施形態に係る組立式玩具によれば、各可動部２２は、その外表面の少なくとも一部が曲面を成し、その外表面の少なくとも一部は、各可動部２２を主部品２０内に少なくとも一部を引っ込めた第１状態と主部品２０内から少なくとも一部を引き出した第２状態とにおいても常に外殻体の一部を成している。これにより、各可動部２２は、第１形態においては、本組立式玩具を販売機から払い出し易くするための重要な役割を果たし、第２形態においては、本組立式玩具で遊戯をより楽しむために重要な役割を果たしている。
【００５７】
《第１実施形態および第２実施形態に係る変形例》
（１）前述の第１実施形態では、主部品２０の各可動部２２として左右方向に引き出した状態と引っ込めた状態とをとり得る可動式のものを例示したが、第１実施形態の第１形態ＦＲ１においては各副部品は引っ込めた状態の各可動部２２と連結する態様を採用しているため、左右方向の引き出しができない固定式のものとすることも可能である。
【００５８】
（２）前述の第１実施形態、及び第２実施形態では、第１凹部ＯＡ１、第２凹部ＯＡ２、第３凹部ＯＡ３が形成された外殻体１０を例示したが、同様の配置及び係合が可能であれば凹部の個数を増減することも可能である。
【００５９】
（３）前述の第１実施形態と前述の第２実施形態では、主部品２０としてキャラクターの頭部を摸した外観を有するものを例示したが、主部品はキャラクター以外の無生物の一部または全部を摸したものであってもよいし、人間や動物等の生物の一部または全部を摸したものであってもよい。
【００６０】
（４）前述の第１実施形態と前述の第２実施形態では、外殻体１０および１０’を４個の副部品１１および１１’と１２および１２’と１３および１３’と１４とによって構成したものを例示したが、外殻を構成する部品の個数は増減することも可能である。
【００６１】
（５）前述の第１実施形態と前述の第２実施形態では、連結部としての凹部と凸部とによって部品連結を行うものを例示したが、同様の連結が可能であれば凹部と凸部の形、位置および個数は図示例の形、位置および個数に限定されるものではない。また、前述の第１実施形態と前述の第２実施形態の説明中の「連結」はきつい連結（容易に外れない連結）と緩い連結（容易に外れる連結）の両方を含む用語として使用しているため、連結位置に応じてきつい連結と緩い連結を選択的に採用することができる。
【００６２】
（６）前述の第１実施形態と前述の第２実施形態では、装飾部品として第１装飾部品４１と２個の第２装飾部品４２を例示したが、装飾部品の個数は任意に増減することができる。
【符号の説明】
【００６３】
１０，１０’…外殻体、１１，１１’…第１副部品、１２，１２’…第２副部品、１３、１３’…第３副部品、１４…第４副部品、ＯＡ１…第１凹部、ＯＡ２…第２凹部、ＯＡ３…第３凹部、ＯＡ４…第４凹部、２０…主部品、２１…本体部、２２…可動部、２３…案内部、２４…他の可動部、３１…支持部品、４１…第１装飾部品、４２…第２装飾部品、ＦＲ１…第１形態、ＦＲ２…第２形態。
【図１】
2020065732.tif 000003
【図２】
2020065732.tif 000004
【図３】
2020065732.tif 000005
【図４】
2020065732.tif 000006
【図５】
2020065732.tif 000007
【図６】
2020065732.tif 000008
【図７】
2020065732.tif 000009
【図８】
2020065732.tif 000010
【図９】
2020065732.tif 000011
【図１０】
2020065732.tif 000012
【図１１】
2020065732.tif 000013
【図１２】
2020065732.tif 000014
【図１３】
2020065732.tif 000015
【図１４】
2020065732.tif 000016
【図１５】
2020065732.tif 000017
【図１６】
2020065732.tif 000018
【図１７】
2020065732.tif 000019
【図１８】
2020065732.tif 000020
【図１９】
2020065732.tif 000021